Podtech/llm-jp-corpus-v4-ja_patent huggingface dataset:
(57)【要約】【課題】  読み進んだページだけでなく、印をつけておきたい行もすぐに分かるようにしたしおりを提供する。【解決手段】  薄型で、留める部分をピンチ式としたクリップ１の表側２の先端に矢印などの指示部３をもうけ、ページ端を留めた時のクリップの先端部分の長さは、ページ余白部分におさまるものとする。そして、印をつけておきたい行のすぐそばである余白部分にクリップの先端部分をあわせ、ページをピンチで留めておく。クリップの指示部が、印をつけておきたい行をすぐに知らせる分かりやすい目印となる。【選択図】図１
2005059560.tif 000002
【特許請求の範囲】
【請求項１】
薄型で、留める部分をピンチ式とし、ピンチ式クリップ１の表側２の先端には矢印などの指示部３をもうけ、ページ端を留めた時のクリップの先端部分の長さは、ページ余白部分におさまるようになっており、印をつけておきたい行の目印となる、クリップ式しおり。
【請求項２】
図４に示すように、針金５をまいて針金と針金の間に紙を挟み込んで留める方式のクリップが、矢印などの指示部をもうけた形をしており、ページ端を留めた時のクリップの先端部分の長さは、ページ余白部分におさまるようになっており、印をつけておきたい行の目印となる、クリップ式しおり。
【請求項３】
図５に示すように、薄く平らなものに紙を挟んで留めるための切り込み７を入れたクリップが、矢印などの指示部をもうけた形をしており、ページ端を留めた時のクリップの先端部分の長さは、ページ余白部分におさまるようになっており、印をつけておきたい行の目印となる、クリップ式しおり。
【発明の詳細な説明】
【技術分野】
【０００１】  本発明は、ピンチ式クリップに矢印などの指示部をもうけ、ページ端を留めた時のクリップの先端部分の長さをページ余白部分におさまるようにしたことで、印をつけておきたい行のすぐそばの余白部分に指示部をあわせクリップで留めておけば、読みかけのページばかりでなく、行もすぐに発見できるようにしたものである。
【背景技術】
【０００２】  従来、しおりは、読みかけのページを示すものであるが、いざページを開いても、一体何行目からであったかとしばらく考え、前後を読み返すといったような事がよくあった。【０００３】  また、細長い短冊形のしおりの場合、ページを開いた時、文章を隠し覆っていたりするため邪魔になり、一旦しおりを別の所によける手間が必要であったし、粘着剤の付いたしおりは、使う度毎に粘着力が薄れていき耐久性には乏しかった。
【発明の開示】
【発明が解決しようとする課題】
【０００４】  本発明は、ページだけでなく、印をつけておきたい行もすぐに分かるようにしたものである。
【課題を解決するための手段】
【０００５】  本発明は、書物の間に挟んでも嵩にならないよう薄型にできており、ページを留める部分をバネ性のあるピンチ式のものとし、ピンチ式クリップ１の表側２の先端には矢印などの指示部３をもうけ、クリップを留めた時の紙面上における先端部分の長さは、ページ余白部分におさまるようになっており、例えば、広い余白である紙面４ａの場合、クリップを深くあわせ、狭い余白である紙面４ｂの場合、浅くあわせるというように、余白部分の幅に従って、クリップを紙に挟み込む深さにより、しっかり固定されて、微調節できる仕組みにした。そして、図３に示すように、印をつけておきたい行のすぐそばである、縦書の文章であれば、上、下の余白部分に、横書の文章であれば、左、右の余白部分に、クリップの先端部分をあわせ、ページをピンチで挟み留めておく。クリップの指示部が、印をつけておきたい行をすぐに知らせる分かりやすい目印となる。
【発明の効果】
【０００６】  このようにすれば、ページを留めたクリップの先端部分が目印となって、印をつけておきたいページばかりでなく行もすぐに分かるようになり便利である。また、クリップは、文字のない余白部分に留められているため、文章の邪魔にならず、ページを開いた時、クリップを気にせずそのまま読み進めていくことができ、従来の短冊形のしおりのように別の所によける手間がかからない。そして、紙を留める部分をクリップ式としたことで、ページ端の余白部分の好きな所に、印をつけておきたい行にあわせて、しっかり固定することができ、取り外しも簡単で、丈夫であり耐久性に優れているため、何度でも繰り返し利用でき重宝である。
【実施例１】
【０００７】  本発明は、バネ性のあるピンチで留める方式のクリップに限らず、図４に示すように、針金５を矢印などの指示部をもうけた形にまき、針金と針金の間に紙を挟み込んで留める方式のクリップでもよい。この針金製クリップの場合、クリップを留めた時の紙面上における先端部分の長さは、挟み口６ａに紙を挟むと長くなり、挟み口６ｂに挟むと短くなるというように、挟み口の場所により調節できるものとする。
【実施例２】
【０００８】  本発明は、ピンチ式のクリップに限らず、図５に示すように、プラスチックなどを素材とした薄く平らなものを矢印などの指示部をもうけた形にし、Ｕ字型の切り込み７を入れてページを挟む方式のクリップでもよい。この平らなクリップの場合、クリップを留めた時の紙面上における先端部分の長さは、切り込み７ａに挟むと長くなり、切り込み７ｂに挟むと短くなるというように、挟む切り込みの場所により調節できるものとする。
【実施例３】
【０００９】  なお、本発明は、書物に限らず、書類、ノート、メモ帳などの行に印をつけておくのにも役立つ。
【図面の簡単な説明】
【００１０】
【図１】ピンチ式クリップの斜視図である。
【図２】余白幅が違う紙面にピンチ式クリップを実施した時の図である。
【図３】ピンチ式クリップを書物のページに実施した時の図である。
【図４】針金製クリップの正面図である。
【図５】平らなクリップの正面図である。
【符号の説明】
【００１１】１    ピンチ式クリップ
２    表側
３    指示部
４ａ  紙面ａ
４ｂ  紙面ｂ
５    針金
６ａ  挟み口ａ
６ｂ  挟み口ｂ
７ａ  切り込みａ
７ｂ  切り込みｂ
【図１】
2005059560.tif 000003
【図２】
2005059560.tif 000004
【図３】
2005059560.tif 000005
【図４】
2005059560.tif 000006
【図５】
2005059560.tif 000007
(57)【要約】輻射熱反射機能付き断熱シート【課題】建築物の壁厚の中で断熱材の厚みを厚くすることには物理的に限界があり、密度を変えることもコスト面のアップや現場でのカット等の施工性の悪化を招く。【解決手段】防水性と断熱性を有するハニカム状、エアキャップ状あるいは段ボール状の中空部にガスを充填したプラスティック成形体シートを基材とし、その表面にアルミニウム箔を貼り付けたプラスティックフィルムを張り合わせることにより、輻射熱反射作用を利用して優れた断熱の効果を得ることができ、スリット状の切れ目加工を施したことによって住宅等の柱-柱、柱-間柱等の間に挿入しやすいコシと折り曲げやすさを両立させたことを特徴とする輻射熱反射機能付断熱シートを提供する。このシートを外壁内に断熱材とともに施工することにより限られた壁の厚みの中で優れた断熱効果を得ることができる。【特許請求の範囲】
【請求項１】
防水性と断熱性を有するハニカム状、エアキャップ状あるいは段ボール状の中空部にガスを充填したプラスティック成形体シートを基材とし、その表面にアルミニウム箔を貼り付けたプラスティックフィルム貼り合わせることにより、輻射熱反射作用を利用して優れた遮熱の効果を得ることができる輻射熱反射型遮熱シート。
【請求項２】
請求項1で上げた効果を有し、スリット状の切れ目加工を施したことによって住宅等の柱-柱、柱-間柱等の間に挿入しやすいコシと折り曲げやすさを両立させたことを特徴とする輻射熱反射型遮熱シート。
【発明の詳細な説明】
【技術分野】
【０００１】
本発明は、遮熱シートに関するものである。
【背景技術】
【０００２】
一般に建築物の外壁用断熱材としては、グラスウール系、ロックウール系等のウール状または樹脂を発泡させた発泡プラスティック系の断熱材が使用されている。これらの断熱性能はその材質の持つ熱の伝導性能によるものであり、断熱性能を上げるためには材質の厚みを厚くするか、材料の密度を変える等の方法となるが、建築物の壁厚の中で断熱材の厚みを厚くすることには物理的に限界があり、密度を変えることもコスト面のアップや現場でのカット等の施工性の悪化を招く。また、この発明に関連する先行技術として、輻射熱反射効果と断熱効果の期待できるアルミニウムを蒸着したガス封入シートのような厚みのあるものを補助断熱として使用する場合は、壁の厚みが変わらないようにするために壁内の柱-柱の間に施工する必要があり、間取りによって柱-柱間が様々な寸法である住宅においては現場での作業負担が大きい。（例えば特許文献１参照）
【特許文献１】特許出願平１１−３０１５８１
【発明の開示】
【発明が解決しようとする課題】
【０００３】
本発明は、従来技術が有していた前述の欠点を解決しようとするものであり、外壁面での遮熱性、施工性の向上を目的とし、尚且つ材料コストを下げた輻射熱反射型遮熱シートを提供することにある。
【課題を解決するための手段】
【０００４】
本発明は防水性と断熱性を有するハニカム状、エアキャップ状あるいは段ボール状の中空部にガスを充填したプラスティック成形体シートを基材とし、その表面にアルミニウム箔とプラスティックフィルムを一体化した反射層を張り合わせることにより、輻射熱反射作用を利用して優れた断熱の効果を得ることができ、スリット状の切れ目加工を施したことによって住宅等の柱-柱、柱-間柱等の間に挿入しやすいコシと折り曲げやすさを両立させたことを特徴とする輻射熱反射機能付断熱シートを提供し、外壁内に断熱材とともに施工することにより、発明が解決しようとする課題に記した目的を達成しうることを見出してなされたものである。
【発明の効果】
【０００５】
本発明による輻射熱反射機能付き断熱シートは外壁の中に充填される断熱材の室内側に使用することにより特に効果的である。
【発明を実施するための最良の形態】
【０００６】
本発明において、（図1）１に示す断熱シート本体としては防水性と断熱性を有するハニカム状、エアキャップ状あるいは段ボール状の中空部にガスを充填したプラスティック成形体シートが挙げられる。これらのシートはポリエチレン系・ポリイミド系・ポリエステル系・ポリアミド系及びポリ塩化ビニルの樹脂からなるフィルムなどで構成される。中空部にガスを充填したプラスティック成形シートは厚みが１〜３０ｍｍ程度のものがしなやかさ、コシの強さからも好ましい。
【０００７】
また、（図1）２に示す反射層としては、アルミニウム箔とプラスティックフィルムを一体化して用いる。アルミニウム箔の厚さは０．００４ｍｍ〜０．０３ｍｍ程度が好ましく、これより薄いとシートの強度が足りず、これより厚いと、しなやかさが失われると同時に重くなり、現場でのカットなどの加工性や貼込み時の施工性が悪く、製作コストも増大する。
【０００８】
かかるアルミニウム箔とプラスティックフィルムからなる反射層は防水性と断熱性を有するハニカム状、エアキャップ状あるいは段ボール状の中空部にガスを充填したプラスティック成形体シート防水シート本体の表面に接着等を塗布することにより一体化される。その接着剤としては、エポキシ系、ゴム系、塩化ビニル系2液反応型ウレタン製のものが耐候性に優れているので好ましい。また、反射層は基材シート本体の両面に設けてもよく片面のみに設けてもよい。
【０００９】
本発明のシートには、（図2）で示す折り曲げ用のスリット状の切り込みを施す。この切り込みは（図3）で示すように両面に位置する反射層の片面を残す程度の深さまで施す事が、折り曲げやすさの面から好ましい。また、切り込みの本数と位置は本シートを使用する建物の柱−柱、柱−間柱の間隔によって決定されるが、同じ建物の中で様々な箇所に適合させるため、切り込みは複数本に入れることが望ましい。
【実施例】
【００１０】
例えば（図4）で示すように外壁の中に充填される断熱材の室内側に本発明による輻射熱反射機能付き断熱シートを空気層が形成されるように装着し、タッカー等で固定する。
【００１１】
外壁材表面が日射等の影響で温められ、室内側に向かって流入する熱は外壁内に充填された断熱材を通って輻射熱反射機能付き断熱シートとの間の空気層を輻射熱として伝わる。空気層から流入しようとする熱はアルミニウム箔の輻射熱反射作用により遮断される為、室内への熱の流入が効果的に低減される。また、冬に室内の暖房で暖めた熱も、室内側仕上げボードと輻射熱反射機能付き断熱シートの間の空気層を輻射熱として伝わる時にアルミニウム箔の輻射熱反射作用により遮断される為、室外への熱の流出を防ぐことができる。また、輻射熱反射機能付き断熱シートのスリット状の切れ目により、柱-柱、柱-間柱の間隔にあわせて容易に折り曲げることができるため、現場での作業性が良く、断熱材と本シートの間の空気層を保つためのコシと施工性を両立することができる。
【図面の簡単な説明】
【００１２】
【図１】本発明の輻射熱反射機能付き断熱シートの構成図を示す。
【図２】本発明の折り曲げ用切り込みスリット図を示す。
【図３】切り込みスリット部拡大図を示す。
【図４】本発明のシートの施工断面図を示す。
【符号の説明】
【００１３】
１．断熱シート本体
２．反射層
【図１】
2005059505.tif 000002
【図２】
2005059505.tif 000003
【図３】
2005059505.tif 000004
【図４】
2005059505.tif 000005
(57)【要約】【目的】この発明は壁面用ペンホルダーに関するものである。【構成】壁面用ペンホルダーの構造【選択図】図１
2005059568.tif 000002
【特許請求の範囲】
【請求項１】
両面テープ等で壁面などに固定して使うペンホルダーの構造（図１）。ポリプロピレンシートなどを用いて本体部を構成し、ペンの保持用クリップでホルダー外周部を挟み固定することを特徴とする。
【発明の詳細な説明】
【発明の詳細な説明】
【発明が解決しようとする課題点】
【０００１】ペン立てやトレーは多本数を入れておくことが出来るが、構造上ペンの半分程度以上のサイズが必要となり、卓上などで一定のスペースを占有してしまう。また、車内などでは利用しずらい。本発明の目的はパソコンやダッシュボードなど、わずかな壁面スペースがあればどこでも利用出来る簡便で安価なペンホルダーを作成することである。
【課題を解決する為の手段】
【０００２】折曲展開可能部を設け、両面テープなどを貼ったポリプロピレンなどのシート（以下Ｐ．Ｐ．シート）でホルダーを組立てる（図１）。ペン保持部は三角形、台形など別の形状でも可能である。図２にＰ．Ｐ．シートの展開図例を示す。本発明ではペンについた保持用クリップでＰ．Ｐ．シートを挟み、ペンを固定する。本発明では１）Ｐ．Ｐ．シートは薄く丈夫なので、ペンについた保持用クリップが利用出来、そのまま構造材にもなる。２）ペンを保持部外側に配置すればペンホルダー自体は小さくなる。３）ペンについた保持用クリップがかかる様になっていれば、ペンの長さを考慮する必要がない。４）現在、市販のペンの多くには保持用クリップがついている。５）頻繁に使用するペンに限れば収容可能本数をある程度限定出来る。といったことを利用し、単純でコンパクトな構造を可能としている。又、本構造では取付面に多少柔軟性がある為、繰返し貼り直し出来る粘着シートが利用出来る。
【作用】
【０００３】本発明のペンホルダーはコンパクトで、パソコン、ダッシュボードなどわずかな壁面スペースがあればどこでも使用出来、外観もスマートである。構造も単純で安価に製作出来る。柔らかいので車の中など突起が敬遠される場所で有効に使用出来、後ではがすのも容易なので、気軽に使用出来る。
【実施例】
【０００４】イ）固定方法は両面テープに限定しない。磁石なども使用可能である。
ロ）保持部を大きくすればペンを内側で固定することも可能である。
ハ）シート組立式でなく、成型や溶着などによる製作も可能である。
【発明の効果】
【０００５】本発明は構造が簡単で使い易い為、簡便なペンホルダーとなる。また、キーホルダーなどをかけることも可能である。
【図面の簡単な説明】
【図１】  組立及び使用状態図例
【図２】  Ｐ．Ｐ．シート展開図例
【符号の説明】
１はＰ．Ｐ．シート
２は両面テープ
３は壁面
４はペン
５は保持用クリップ
６は折曲展開可能部
７は切抜き
【図１】
2005059568.tif 000003
【図２】
2005059568.tif 000004
(57)【要約】【課題】現在の印刷では色再現域が狭すぎて思うように色が再現できない。そうした難点を解消するために、色再現域を広げる方法を提供する。【解決手段】色材を変える。現在使われている色材（シアン、マゼンタ、イエロー）よりも純度の高い色材を使う。【特許請求の範囲】
【請求項１】
使用する色材に純粋なシアン、純粋なマゼンタ、純粋なイエローを理想とした３つの特色とブラックの４色を用いて多色印刷する。
理想とする純粋なシアンとは「Ｌ：９０．７、ａ：−５０．６、ｂ：−１５．０」、
理想とする純粋なマゼンタは「Ｌ：６０．２、ａ：  ９３．５、ｂ：−６０．５」、
理想とする純粋なイエローは「Ｌ：９７．６、ａ：−１５．７、ｂ：  ９３．４」
（「」内の英数字はＣＩＥＬ＊ａ＊ｂ＊（Ｄ６５）の座標値）とし、以下それぞれをピュアシアン、ピュアマゼンタ、ピュアイエローとする。
ただし、ピュアイエローは現在使われているイエローとあまり違いがないので、現在使われているイエローを代用することもできる。
【発明の詳細な説明】
【技術分野】
【０００１】本発明は、印刷で表現可能な色域を広げて、より鮮やかな、より正確な表現を可能とする印刷技術である。
【背景技術】
【０００２】従来の印刷技術では、表現可能な色域を越える色は近い色に置き換えてしまうか、部分的に特色を刷り込むことで対応している。
【発明の開示】
【発明が解決しようとする課題】
【０００３】青い空や若葉の緑、薔薇の赤やラベンダーの紫など、現在の印刷で表現可能な色域を越える色を表現しようとすると、色が濁ってしまったり、色相が変わってしまったりなどして思う色に仕上がらない難点がある。本発明はこの課題を解消するためになされたものである。
【課題を解決するための手段】
【０００４】色材を変える。色材にピュアシアン、ピュアマゼンタ、ピュアイエローの３つの特色とブラックの４色を用いて多色印刷する。
ピュアシアンとは「Ｌ：９０．７、ａ：−５０．６、ｂ：−１５．０」を理想とした色、ピュアマゼンタは「Ｌ：６０．２、ａ：  ９３．５、ｂ：−６０．５」を理想とした色、ピュアイエローは「Ｌ：９７．６、ａ：−１５．７、ｂ：  ９３．４」を理想とした色のことである。（「」内の英数字はＣＩＥＬ＊ａ＊ｂ＊（Ｄ６５）の座標値）
ただし、ピュアイエローは現在使われているイエローとあまり違いがないので、現在使われているイエローを代用することもできる。
【発明の効果】
【０００５】現在の印刷可能な色域を越える広範な再現が可能となる。より鮮やかな色やより正確な色を表現することができる。
【発明を実施するための最良の形態】
【０００６】ＲＧＢ分解して得られるＲ版をピュアシアン版とし、Ｇ版をピュアマゼンタ版、Ｂ版をピュアイエロー版として、それに従来の墨版生成で得られるブラック版をプラスした４版を使って多色印刷する。ただし、従来の写真製版と同様、トーンカーブなどによる補正、調整は必要な場合がほとんどである。
色材にはピュアシアン、ピュアマゼンタ、ピュアイエローの特色３色とブラックの４色を用いる。
ピュアシアンとは「Ｌ：９０．７、ａ：−５０．６、ｂ：−１５．０」を理想とした色、ピュアマゼンタは「Ｌ：６０．２、ａ：  ９３．５、ｂ：−６０．５」を理想とした色、ピュアイエローは「Ｌ：９７．６、ａ：−１５．７、ｂ：  ９３．４」を理想とした色のことである。（「」内の英数字はＣＩＥＬ＊ａ＊ｂ＊（Ｄ６５）の座標値）
ただし、ピュアイエローは現在使われているイエローとあまり違いがないので、現在使われているイエローを代用することもできる。
(57)【要約】      （修正有）【課題】はがきにあとから写真やプリントを簡単に低コストで定位置に貼れるようする。【解決手段】熱粘着用紙２を改良し、写真１やプリントとはがき３や台紙の間にはさんでラミネーター６等をかける事により、１回の操作で簡単に定位置に貼り付けられるようにした。個人でも簡単に、低コストで貼り付けられる。【選択図】図３
2005059571.tif 000002
【特許請求の範囲】
【請求項１】
写真やプリントとはがきの間に熱粘着用紙をはさみ、アイロン、ラミネーター等で、はがきと写真やプリントが、定位置で簡単に貼り合わせるようにする。
【請求項２】
写真やプリントと台紙の間に熱粘着用紙をはさみ、アイロン、ラミネーター等で、台紙と写真が、定位置で簡単に貼り合わせるようにする。
【発明の詳細な説明】
【発明の詳細な説明】
【技術分野】
【０００１】本発明は、写真と同サイズの熱粘着用紙を使用し、これを写真やプリントの間にはさむことにより、写真を簡単に、低コストで、定位置に貼ることが出来るようにしたことです。
【背景技術】
【０００２】今までは、専用の貼付機１００万円以上と、両面テープか接着材を使用している。両面テープのコスト高に加えて、カッターで各端を、切断しているので、メンテも大変。そして少量の貼付には、高い機械がいるので出来なかった。又離脱紙付熱粘着テープも貼って、めくって、もう一度貼る手間がかかった。
【発明が解決しようとする課題】
【０００３】毎年、年賀状のシーズンになると写真付きポストカードを写真屋では作りますが、最近はデジタルプリンターの導入が進み、写真屋で簡単に写真とイラスト、挨拶文などパソコンデーターをプリントすることが出来るようになりましたが、簡単に年賀状と貼り合わせが出来なかった。
【課題を解決するための手段】
【０００４】簡単に貼れる熱粘着用紙を写真やプリントとはがきや台紙の間にはさむことにより、個人でも簡単に、アイロン・ラミネーターで貼り合わせることが出来るようになる。この熱粘着用紙は、従来薄くて腰がなく離脱紙を使用している物ですが、糊の間に芯を入れることにより、１枚づつをはさめる用に改良することで、１回の操作（ラミネーターにかける）で貼り合わせることが出来る。
【発明の実地の形態】
【０００５】発明の実地の形態を図面を参照して説明する。
図１において、１写真と３はがきの間に、１写真と同サイズの２熱粘着用紙をはさむ。
【０００６】図２の用に、２熱粘着用紙は１枚ずつはさめる用に、５熱粘着糊の間に４芯を入れて扱いやすくした。
【０００７】図３のように、１写真と３はがきの間に２熱粘着用紙をはさみ６ラミネーターで貼り付ける。
【発明の効果】
【０００８】写真屋等で高い機械を買わなくても簡単、低コストで、ポストカードの貼付ができる。又「あとはりポストカード」として、個人の方でも、自分の好きな写真を選んで貼ることが出来る。最近はワープロ、パソコンでの宛名書きが多くなり、後から写真を貼らないと、はがきに写真を貼った状態では、印字できないプリンターが多いのでトラブルになることがある。ラボ、販売店においては、儲からない、はがきを大量に用意しなくてもよくなる。デジタルプリンター導入店が増えていく中で、少量でもコストをかけずに、お店にあった販売形態が考えられる。（年賀状に宛名を書いた写真とはがきをお持ちいただければお貼りしますとか）お客様は書き損じた、はがきは貼らなくても良くなる等。
【図面の簡単な説明】
【図１】１写真、２熱粘着用紙、３はがきを重ね合わせた図
【図２】２熱粘着用紙は図の用に真ん中に４芯が入り、両面が５熱粘着糊になっている。
【図３】１写真、２熱粘着用紙、３はがきを重ね合わせて、６ラミネーターにかける
【符号の説明】
１    写真
２    熱粘着用紙
３    はがき
４    芯
５    熱粘着糊
６    ラミネーター
【図１】
2005059571.tif 000003
【図２】
2005059571.tif 000004
【図３】
2005059571.tif 000005
(57)【要約】      （修正有）【課題】病気になった時死亡してしまった時など自ら意思表示が出来なくなってしまった時の為に、前以て  自分に関する要望を書類に残しておくのを目的とする。【解決手段】現在市販されている履歴書のように記入しやすいような書類を作る。病気になった時死亡してしまった時など自分に関してはどのようにしてほしいか、氏名を記入年月日と共に記入しておく。残された者や周りの者は迷うことなく少しでも本人の意向に添う事ができる。【選択図】なし【特許請求の範囲】
【請求項１】
病気になった時、死亡してしまった時など自ら意思表示が出来なくなってしまった時の為に、自分に関する要望を残しておく為の書類
【発明の詳細な説明】
【発明の詳細な説明】
（発明に属する技術分野）
【０００１】病気になった時  延命治療はどのようにするか死後の葬儀はどのようにしてほしいか  前以て  自分の要望を文面に残しておくことが出来る。
（従来の技術）
【０００２】従来は  自分の要望を記入しておくことで、意思を残せる書類はなかった。
（発明が解決しようとする課題）
【０００３】病気になった時の介護の方法、死後の葬儀の方法など本人の意思が生かされるようにしたい
（課題を解決するための手段）
【０００４】予め  用意された用紙に  書かれてある問に対しいくつかの答の中から選ぶ。又は  自分の意向を空欄に記入していく。
（発明の実施の形態）
【０００５】一枚の用紙とするか  多くなれば一冊のノートとする  本人が記入、又は周りの人が、本人の要望を記入する
（発明の効果）
【０００６】健康な時に、死後の事など口で述べておいても、相手がどこまで本気で解釈していてくれているか確約出来ないが、記述しておくことで  残された者、又は  周りの者が、少しでも多く本人の意思に添う事ができる。
(57)【要約】【課題】 本発明の目的は、持ち易さ及び転がり防止が改善された毛筆を提供することにある。【解決手段】 穂先と軸体よりなる毛筆において、当該軸体の把持部分が３ケの平面部分よりなることを特徴とする毛筆とすることで持ち易さ及び転がり防止が改善され、また、前記平面部分が均等角度にすることでより持ち易くなり、前記軸体の把持部分の断面は、前記平面部分以外は円周状とすることや前記把持部分の円周状外径が軸体の他の部分の外径に比較して大きくすることでさらに持ち易くなる。さらに前記軸体の後部の外形が楕円となることで転がり防止がより確実となる。【選択図】図１
2005059489.tif 000002
【特許請求の範囲】
【請求項１】
穂先と軸体よりなる毛筆において、当該軸体の把持部分が３ケの平面部分よりなることを特徴とする毛筆。
【請求項２】
前記平面部分が均等角度に設けられている請求項１記載の毛筆。
【請求項３】
前記軸体の把持部分の断面は、前記平面部分以外は円周状となる請求項１又は２記載の毛筆。
【請求項４】
前記把持部分の円周状外径が軸体の他の部分の外径に比較して大きいことを特徴とする請求項１乃至３記載の毛筆。
【請求項５】
前記軸体の後部の外形が楕円となることを特徴とする請求項１乃至４記載の毛筆。
【発明の詳細な説明】
【技術分野】
【０００１】
本発明は、書道や絵画等に使用する毛筆に関するものである。特に使用時に持ち易く、また置いたときに転がり難いことを特徴とする毛筆に関するものである。
【背景技術】
【０００２】
従来、書道や絵画等に使用する毛筆の軸体の形状は円形の棒状体であり、当該毛筆を画板等の上に置いたとき転がり画板から落下する問題があった。当該転がりを防止するため、毛筆の軸体を六角形とするものが提案されている。例えば実開昭６２−２００４８５号公報に示された毛筆が公知となっている（特許文献１参照）。
【特許文献１】実開昭６２−２００４８５号公報
【発明の開示】
【発明が解決しようとする課題】
【０００３】
しかし、上記六角形の毛筆であっても持ち易さ及び転がり防止の点で未だ未だ不十分であった。
【０００４】
本発明の目的は、持ち易さ及び転がり防止が改善された毛筆を提供することにある。
【課題を解決するための手段】
【０００５】
本発明者は鋭意検討した結果、穂先と軸体よりなる毛筆において、当該軸体の把持部分が３ケの平面部分よりなることを特徴とする毛筆とすることで持ち易さ及び転がり防止が改善されることを見出した。また、前記平面部分が均等角度にすることでより持ち易くなり、前記軸体の把持部分の断面は、前記平面部分以外は円周状とすることや前記把持部分の円周状外径が軸体の他の部分の外径に比較して大きくすることでさらに持ち易くなる。さらに前記軸体の後部の外形が楕円となることで転がり防止がより確実となる。
【発明の効果】
【０００６】
本発明は、穂先と軸体よりなる毛筆において、当該軸体の把持部分が３ケの平面部分よりなることを特徴とする毛筆とすることで持ち易さ及び転がり防止が改善され、また、前記平面部分が均等角度にすることでより持ち易くなり、前記軸体の把持部分の断面は、前記平面部分以外は円周状とすることや前記把持部分の円周状外径が軸体の他の部分の外径に比較して大きくすることでさらに持ち易くなる。さらに前記軸体の後部の外形が楕円となることで転がり防止がより確実となる。
【発明を実施するための最良の形態】
【０００７】
以下、本発明について実施例にて詳細に説明する。但し、本発明は実施例に限定されるものでもない。
【０００８】
本発明の毛筆１は図１に示すように、穂先２と軸体３より構成され、軸体３には把持部分４が形成されるが、穂先２は書道や絵画等に使用する毛筆に通常使用される穂先が使用できる。具体的には、馬、うさぎ、牛、豚、羊等の動物毛やポリエリレン、ポリプロピレン、ナイロン等のプラスチック繊維を束ねて穂先としたものが挙げられる。また、穂先の形状は習字用に用いられる外形が丸く穂先が細く尖った穂先や絵画に用いられる丸筆や平筆等であっても良い。
【０００９】
本発明の軸体３は、通常外径２〜２０ｍｍφの略円柱状であり、軸体の全長は、通常５〜５０ｃｍであるが、その材質は木、竹、金属、プラスチック等よりなる。
【００１０】
また、必要に応じて、穂先２と軸体３との間に金具５が設けても良い。穂先２を直接軸体３に取り付けても良いが、穂先２を金具の一端に取り付け当該金具の他端を軸体に固定することで、穂先２と軸体３の取り付けが容易且つ確実となる長所がある。
【００１１】
本発明の実施例では、毛筆１の軸体３の把持部分４の外形は、毛筆１を持つときに指が当たる部分を平面とする平面部分６が形成されている。当該平面部分６が毛筆の持ち易さと転がり防止の機能を果たす役割がある。また当該平面部分６を３分割均等に配置することで持ち易さ及び転がり防止がより効果的となる。図２は、把持部分の断面ａ−ａを示すが、平面部分６はストレートであり、それ以外の部分の外形部７は円周状である。該外形部７の外径は、軸体３の他の部分の外径より大きくなっている。大きくすることで、指の当たる部分は太く、軸体３が手の甲の側面に当たる小径部９が細くなることで、毛筆の固定が確実となるため毛筆が持ち易くなる効果がある。また、軸体３の中心は空洞８となっているが、該空洞８は毛筆全体を軽くする効果があるとともに毛筆の重心を穂先側に位置することで、毛筆を使い易くする効果がある。図３は、小径部９の断面ｂ−ｂを示すが、空洞７を有し外形は円形である。
【００１２】
図４は、軸体後部１０の断面ｃ−ｃを示すが、図４に示すように当該断面は空洞８を有し、その外形は楕円形状となっている。当該楕円の短径は、小径部９の外形と略同一であり、長径は、短径より太く、把持部分４の外形部７の外径より細くなっている。当該軸体後部１０の楕円形状が把持部分４の形状を相まって転がり防止の効果をより確実なものとする。
【図面の簡単な説明】
【００１３】
【図１】本発明の実施例である毛筆の全体を示すものである。
【図２】実施例の把持部分の断面ａ−ａを示すものである。
【図３】実施例の小径部の断面ｂ−ｂを示すものである。
【図４】実施例の軸体後部の断面ｃ−ｃを示すものである。
【符号の説明】
【００１４】
１      毛筆
２      穂先
３      軸体
４      把持部分
５      金具
６      平面部分
７      外形部
８      空洞
９      小径部
１０    軸体後部
【図１】
2005059489.tif 000003
【図２】
2005059489.tif 000004
【図３】
2005059489.tif 000005
【図４】
2005059489.tif 000006
(57)【要約】【課題】従来の、書類などを綴じようとする場合、綴じ穴に綴じ具を通した後、次に固定具の穴に再び綴じ具を通してから、固定具上の２個の固定用の移動片をそれぞれ動かして、綴じ具を固定するものであった。【解決手段】図１に示すように、１個の書類などの固定具３及び４の中央部分が自在に動くことによって、綴じ具２を固定具の３及び４の空洞部分に滑らかに差込みが出来る。また、従前のように綴じ具を固定具の穴に通すのではなく、固定具の空洞に差し込むようにすることで、より簡単に綴じ具を固定出来る。また、中央部５が自在に動く事は操作性は増すが固定性が不安定となる。これを防ぐために、固定具上に移動部４を設け、これを押さえ具の中央の可動部分の双方に架かるように移動し、この押さえ具の中央の可動部を固定する。同時に可動部が綴じ具を締め付けて固定する役目もあり、より強固に固定できる。【選択図】図１
2005059229.tif 000002
【特許請求の範囲】
【請求項１】
固定具の中央部が自在に動くようにした簡易固定具。
【請求項２】
前記、固定具に空洞を設け、空洞に綴じ具を差し込む構造とした。
請求項１の簡易固定具
【請求項３】
前記、固定具を装着したあと、中央の自在に動く部分を固定するために固定具上に移動部を有する。
請求項１の簡易固定具
【発明の詳細な説明】
【０００１】
【発明の属する技術分野】
この発明は、固定具の構造に関する。
【０００２】
【従来の技術】
従来の、ファイルに類するものなどは綴じようとする物の綴じ穴に綴じ具を通した後、次に固定具に再び綴じ具を通してから、固定具上の２個の固定用の移動片をそれぞれ動かして、綴じ具を固定するものであった。
【０００３】
【発明が解決しようとする課題】
従来の固定具は、一連の動作数が多く手間が掛かり大げさであった。それが故に簡易的に使用するには、取り付け取り外しが不便であった。
【０００４】
【課題を解決するための手段】
以上の課題を解決するために、請求項１の発明は、１個の固定具の中央部分が自在に動くことによって、綴じ具を差し込みやすくした。
請求項２の発明の要旨は、綴じ具を固定具面上の穴に通すのではなく、固定具に設けた空洞部に差し込むようにすることで、より簡単に綴じ具を保持出来る。請求項３の発明の要旨は、前記発明項１の固定具上に可動部を設け、この中央部の自在に動く部分の双方に架かるように、この可動部分を移動することによって、この固定具の中央の自在に動く部分を固定する。
【０００５】
【発明の実施の形態】
この発明の一実施形態を、図１に示す。
【０００６】
【実施形態の効果】
この実施形態によれば、綴じ具に綴じようとする物を通した後、固定具の空洞に綴じ具を差し込み、固定具を保持し固定具上の移動部を中央に移動する事によって、固定具の可動部分を固定出来る。
【０００７】
【発明の効果】
以上説明したように、この発明によれば、固定具には綴じ具を通す穴はあいていない。
【０００８】
綴じ具は固定具の空洞に差し込むだけである。
【０００９】
また、押さえ具の中央部が自在に動くので、固定具の隙間に綴じ具を簡単に差し込みやすくなっている
【００１０】
固定具の空洞に綴じ具を差し込み、固定具を水平に保ち、固定具上の可動部を中央に移動する事で全体が固定できる。
【００１１】
固定具の片端と綴じ具の片端が一体となった構造でもよい。
【図面の簡単な説明】
【図１】この発明の一実施形態を示す図である。
【図２】従来技術を示す図である。
【符号の説明】
１．  綴じようとする物など
２．  綴じ具
３．  固定具本体
４．  移動部
５．  可動部
６．  綴じ穴
【図１】
2005059229.tif 000003
【図２】
2005059229.tif 000004
(57)【要約】【課題】寸法の異なる商品を見栄えよく配列して、安定的に保持できる仕切を提供する。【解決手段】商品を載せる載置板２，４に内立部５、頂部６及び外立部７から成る仕切壁３を連設した包装用仕切において、紙シートをプレス成形することにより、対向する仕切壁３間の載置板２を、仕切壁３の外側の載置板４よりも高い位置に架設する。高さの異なる商品を上面が揃うように配列して、安定的に支持することができる。【選択図】図１
2005059894.tif 000002
【特許請求の範囲】
【請求項１】
商品を載せる載置板に内立部、頂部及び外立部から成る仕切壁を連設した包装用仕切において、紙シートをプレス成形することにより、対向する仕切壁間の載置板を、仕切壁の外側の載置板よりも高い位置に架設したことを特徴とする包装用仕切。
【請求項２】
商品を載せる載置板に内立部、頂部及び外立部から成る仕切壁を連設した包装用仕切において、紙シートをプレス成形することにより、方向の異なる複数の仕切壁を形成したことを特徴とする包装用仕切。
【請求項３】
請求項１又は２に記載の包装用仕切において、プレスに伴い、内立部、頂部及び外立部が載置板側へ順次引き寄せられて、仕切壁が形成されるようにしたことを特徴とする包装用仕切の成形方法。
【発明の詳細な説明】
【技術分野】
【０００１】
この発明は、段ボール等の紙シートをプレスして製造した包装用仕切及びその成形方法に関するものである。
【背景技術】
【０００２】
例えば、ギフト用の包装に際し、商品を区画して収納するため、図４に示すように、箱Ｂに仕切５１が内挿されることがある。この仕切５１は、罫線を入れた段ボールシートを波状に折り曲げることにより、商品を載せる中央及び両側の載置板５２，５３と内立部５５、頂部５６及び外立部５７から成る一対の仕切壁５４とを形成したものとされている。
【発明の開示】
【発明が解決しようとする課題】
【０００３】
しかしながら、上記のような仕切では、例えば、高さの異なる商品を上面が揃うように収納するため、中央の載置板を浮き上がった状態に架設したり、また、縦横の寸法比の異なる商品を混在させて収納するため、仕切壁を異なる方向へ向けて複数形成しようとしても、保形性が乏しく、商品を安定して保持できないという問題があった。
【０００４】
そこで、この発明は、寸法の異なる種々の商品を見栄えよく配列して、安定的に保持できる仕切を提供することを課題とする。
【課題を解決するための手段】
【０００５】
上記課題を解決するため、この発明は、商品を載せる載置板に内立部、頂部及び外立部から成る仕切壁を連設した包装用仕切において、紙シートをプレス成形することにより、対向する仕切壁間の載置板を、仕切壁の外側の載置板よりも高い位置に架設し、又は方向の異なる複数の仕切壁を形成したのである。
【発明の効果】
【０００６】
このように、紙シートをプレス成形して、仕切壁間の載置板を高い位置に架設すると、高さの異なる商品を上面が揃うように配列して、安定的に支持することができる。
【０００７】
また、方向の異なる複数の仕切壁を形成すると、縦横の寸法比の異なる商品を見栄えよく配列して、安定的に支持することができる。
【０００８】
なお、上記プレスに伴い、内立部、頂部及び外立部が載置板側へ順次引き寄せられて、仕切壁が形成されるようにすると、紙の破断が防止される。
【発明を実施するための最良の形態】
【０００９】
まず、この発明の第１実施形態を図１及び図２に基づいて説明する。
【００１０】
図１に示すように、この包装用仕切１は、載置板２の両側に仕切壁３を介して載置板４を連設したものであり、仕切壁３は、載置板２側から内立部５、頂部６及び外立部７を順次連設したものとされている。対向する仕切壁３に挟まれた載置板２は、両側の載置板４よりも高い位置に架設されている。
【００１１】
この仕切１を製造するに際しては、図２に示すように、一対の金型８，９の間に材料の段ボールシートを挟んで、加熱プレスする。この金型８，９においては、仕切壁３の内立部５及び外立部７に対応する部分が垂線に対し２０°程度傾斜している。
【００１２】
このような金型８，９でプレスすると、内立部５、頂部６及び外立部７が載置板２側へ順次引き寄せられて、仕切壁３が形成されるので、段ボールに大きな引張力が作用することがなく、仕切壁３の屈曲部付近における段ボールの破断が防止される。
【００１３】
そして、このように成形した仕切１を、図１に示すように、箱Ｂに内挿して、中央の載置板２に背の低い商品を載せ、両側の載置板４に背の高い商品を載せると、商品の上面の高さが揃うので、美観に優れた包装状態となる。
【００１４】
また、仕切壁３の内立部５と外立部７の角度が維持されて、載置板２の揺れが防止されるので、箱Ｂの底壁に接地した載置板４上の商品だけでなく、箱Ｂの底壁から浮き上がった載置板２上の商品も安定して保持される。
【００１５】
そのほか、この仕切１を箱Ｂに内挿する際には、折目の反発を手で抑えておかなくてもよいので、商品の包装作業を容易に行うことができる。
【００１６】
次に、この発明の第２実施形態を図３に基づいて説明する。
【００１７】
この包装用仕切１１では、Ｈ字状の載置板１２の両側の縦辺に一対の仕切壁１３が連設され、載置板１２の横辺に一対の仕切壁１４が連設されている。仕切壁１３及び１４は、載置板１２側から内立部１５、頂部１６及び外立部１７を順次連設したものとされ、仕切壁１４の外側には載置板１８が連設されている。
【００１８】
このような仕切１１の成形に際しても、上記第１実施形態と同様に、金型に傾斜を設定し、仕切壁１３，１４の内立部１５、頂部１６及び外立部１７が載置板１２の中央側へ順次引き寄せられるようにすると、段ボールの破断が防止される。
【００１９】
そして、このように成形した仕切１１を箱Ｂに内挿すると、方向の異なる複数の仕切壁１３，１４で区画された部分に、縦横の寸法比の異なる商品を見栄えよく配列して、安定的に支持することができる。
【００２０】
また、この仕切１１を箱Ｂに内挿する際には、折目の反発を手で抑えておかなくてもよいので、商品の包装作業を容易に行うことができる。
【図面の簡単な説明】
【００２１】
【図１】第１実施形態に係る仕切の使用状態を示す斜視図
【図２】同上のプレス状態を示す断面図
【図３】第２実施形態に係る仕切の使用状態を示す斜視図
【図４】従来の仕切の使用状態を示す斜視図
【符号の説明】
【００２２】
１  仕切
２，４  載置板
３  仕切壁
５  内立部
６  頂部
７  外立部
８，９  金型
１１  仕切
１２，１８  載置板
１３，１４  仕切壁
１５  内立部
１６  頂部
１７  外立部
【図１】
2005059894.tif 000003
【図２】
2005059894.tif 000004
【図３】
2005059894.tif 000005
【図４】
2005059894.tif 000006
(57)【要約】【課題】船舶の安全運行のために使用されるバラスト水の中にいる海洋生物は船舶の運航に伴い遠隔地に移動し繁殖するために自然体系を乱す為にこの海洋生物を死滅させるために付加される装置の高効率化とコストの低減が急務である。【解決手段】船舶において一般的に使用されているバラストポンプの吐出管に直接又は吐出管のバイパス管にＯＨＲミキサーを取り付け、移送されるバラスト水に乗って流れる海洋生物をＯＨＲミキサーの中で起こる渦流のせん断力、衝撃力等により死滅させる。【選択図】図１
2005059825.tif 000002
【特許請求の範囲】
【請求項１】
船舶のバラストポンプの吐出管に直接又は吐出管のバイパス管にＯＨＲミキサーを取り付け、バラストポンプの吐出水により起こるＯＨＲミキサー内での水の動きによってバラスト水内の海洋生物を死滅させる船舶のバラスト水内の海洋生物死滅装置。
【発明の詳細な説明】
【発明の詳細な説明】
本発明はＯＨＲミキサーを船舶のバラストポンプの吐出菅に取り付け、海洋生物を死滅させることにより、地球の自然環境の破壊に繋がる海洋生物の遠隔地移動を防止する装置である。一般的にバラスト水の中にいる海洋生物死滅の手段としてＵＶ照射、流れの中に設置したスリットで発生するキャビテーションの使用、オゾンの添加などが考えられているが、効率の悪さや装置の海水通過部の目詰まりの防止等が必要で、その構造は複雑かつ高価な物となっている。本発明は高能率のラインミキサーとして知られるＯＨＲミキサーを船舶のバラストポンプの吐出管側に取り付けて、船外からのバラスト水取り入れ時又は、船外への排出時にＯＨＲミキサー内部で発生する渦流の激しいせん断力、衝撃力によってバラスト水と共に流れる海洋生物を効率良く死滅させる装置である。この海洋生物死滅のためにバラストポンプを動かすことは船舶にバラスト水の張り込みや排出時だけでなく、航海中にバラストタンク内のバラスト水を、ＯＨＲミキサーを吐出管に装備したバラストポンプで吸入し、バラストタンクに返すという使い方でも良い。また航海中にバラストポンプを使用しバラスト水をＯＨＲミキサー内を通して海洋生物の死滅化を行うためにはバラストポンプ吐出管に直接ＯＨＲミキサーを取り付けるのではなく吐出管のバイパス管として取り付け可能なために、バラストタンクに対するバラスト水の張り込み、排出のためにＯＨＲミキサーの流れ抵抗を考慮する必要が無く、使用するＯＨＲミキサーの容量を小さく出来る。
【図面の簡単な説明】
【図１】ＯＨＲミキサーをバラストポンプ吐出管に装備し、バラスト水をバラストタンクに張り込みながら、またバラスト水排出時にバラスト水に含まれる海洋生物を死滅させるシステム。
【図２】ＯＨＲミキサーをバラストポンプ吐出管のバイパス管に取りつけ、バラストタンクに張り込んだバラスト水を航海中にＯＨＲミキサー内を循環させ海洋生物を死滅させるシステム。
【符号の説明】
（１）バラストポンプ    （２）ＯＨＲミキサー  （３）バラストタンク    （４）シーチェスト
【図１】
2005059825.tif 000003
【図２】
2005059825.tif 000004
(57)【要約】【課題】  動力逆転装置を設け、各逆動力を生み出し物理的に力の分散、バランスを取る構造の物である。【解決手段】  この発明は車のタイヤホイールの内側、ブレーキ機器の外側の部分に取り付け動力側、タイヤホイール側からの、各動力を、動力逆転装置をもつて各動力を逆転させ、各逆動力を生み出し、物理的に動力の分散、バランスを取る装置である。【選択図】  図１
2005059824.tif 000002
【特許請求の範囲】
【請求項１】
【イ】回転動力を車輪に伝える前に逆転動力に変換し車輪に伝える装置。
【ロ】車輪からの動力を逆転させ、逆転した動力をブレーキ機器で止める装置。
以上同一の動力逆転装置により、【イ】、【ロ】、の動力を逆転させる装置である。
【発明の詳細な説明】
【発明の詳細な説明】
【技術分野】
【０００１】
【イ】
動力逆転装置により、シャフトの回転方向とタイヤホイールの回転方向が逆転する。シャフトに回転動力が伝わると、同時にシャフトケースに反発する回転動力が発生し、物理的に力のバランスが取れる。
【ロ】
動力逆転装置により、タイヤホイールの回転とブレーキホイールの回転方向が逆転する。制動力が発生すると、タイヤホイールの回転力と同等の力がブレーキ機器回転側に発生し、物理的に力のバランスが取れる。
【背景技術】
【０００２】
【イ】
従来は、動力発生に於いて、車輪の回転方向と車輪を回転させるシャフトが同一方向に回転していた為、車のフロント部分が、浮き上がる現象がある。
【ロ】
従来は、制動力発生時に、車輪の回転と同じ方向に押される現象が有り、フロント部分が極端に沈んだ、又リャー部分に於いては、浮き上がり現象が起きる。
【発明が解決しようとする課題】
【０００３】
【イ】
本発明は、物理的に車輪のインチアップが容易に出きる又ホイールベースの極端に短い車を容易に開発する事が出きる。
【ロ】
本発明は、物理的に走行時又制動時に車輪の固定部分への荷重を分散し安全、快適、走行が出きる。
【課題を解決するための手段】
【０００４】今その解決手段を図面を追いながら説明すれば、
【イ】
動力逆転装置、リヤー
【図１】
３フロント
【図２】
３を共にタイヤホイールの内側、ブレーキ機器、リヤー
【図１】
７フロント
【図２】
７の共に外側に位置する所に設ける。
【ロ】
回転動力がシャフト
【図１】
９に伝わりブレーキホイール
【図１】
６を通り動力逆転装置
【図１】
３にて回転を変換しタイヤホイール
【図１】
２を回転させる。
【ハ】
タイヤホイール、リヤー
【図１】
２フロント
【図２】
２から回転動力が伝わり動力逆転装置リヤー
【図１】
３フロント
【図２】
３を通り、回転を変換し、ブレーキホイール、リヤー
【図１】
６フロント
【図２】
６が、逆転する、この回転をブレーキ機器リヤー
【図１】
７フロント
【図２】
７にて、回転を止め制動力を発生させる。
【発明を実施するための最良の形態】
【０００５】
【イ】
本発明の実施の形態を述べると、車（二輪車を含む）を動かすにあたり車のホイールベースが極端に短い車又タイヤのインチアップした車で急発進しても車のフロント部分（前輪）が浮き上がることなく、急発進が出きる為、安全で有る、又車（二輪車を含む）を止めるにあたり車のホイールベースが極端に短い車、又タイヤのインチアップした車で急ブレーキをかけても、前に車が転がる事が無いので安全である。
【ロ】
技術を必要としない急発進、急停車、ができる。（車の開発で、この分野の開発は、車が誕生してから、構造上、１歩も進んでいない。）
【発明の効果】
【０００６】
【イ】
本発明により車のホイールベースが極端に短く、タイヤが極端にインチアップした車でも安全、快適に走行する事が出きる為、これからの社会が必要とする、車を簡単に開発する事が出きる。
【ロ】
現在の規格車においても本発明の動力逆転装置を装着すれば、急発進、又高速時の加速においても、車の浮き上がり現象が起きない又急ブレーキ時に於いても車の沈み現象が半減しより安全である、以上の通り、発進、加速、ブレーキ、等運転に欠かす事が出来ない急な操作をしても、安全、快適走行ができる。
【図面の簡単な説明】
【図１】リャー動力逆転装置
【図２】フロント動力逆転装置
【符号の説明】
１タイヤ
２ホイール
３動力逆転装置
４ギャー
５シャフト
６ブレーキホイール
７ブレーキ機器
８シャフトケース
９シャフト
１０動力逆転装置固定金具
１１ブレーキ機器固定金具
１２スプリング
１３ホイールナット
１４ロアーアーム
１５アッパーアーム
１６フロントシャフト
【図１】
2005059824.tif 000003
【図２】
2005059824.tif 000004
(57)【要約】【課題】  障害物や人、車に対して、すれ違う時、スムーズに運転ができるようにするために、確認用目印マークを提供する。【解決手段】  車の接触防止のため、車の前後、左右の間隔と脱輪防止のために前輪と後輪の位置を運転席から調べて、車の事故を未然に防ぐために、確認用目印マークを貼り付けて目印にすることを特徴とする。【選択図】  図２
2005059829.tif 000002
【特許請求の範囲】
【請求項１】
マーク本体（１）を白地にし、方向を示す三本のラインを設け、外側のライン（２）を赤色で示す、中側のライン（３）を黄色で示す、内側のライン（４）を青色で示した確認用目印マーク。
【発明の詳細な説明】
【発明の詳細な説明】
【技術分野】
【０００１】  この発明は、車の進行方向の位置や車の停止位置が、一目で確認ができるようにするための確認用目印マークに関するものである。
【背景技術】
【０００２】  従来は、交通の状態に応じて、その都度、臨機応変に運転をしていた。
【発明が解決しょうとする課題】
【０００３】  これには、次のような欠点があった。
（イ）  障害物や対向車とすれ違う時、車の間隔が正確につかめにくかった。
（ロ）  車の停止位置や方向転換の際、無意識で運転操作をしていたので事故の原因になっていた。
本発明は、これらの欠点を除くためになされたものである。
【課題を解決するための手段】
【０００４】マーク本体（１）を白地にし、方向を示す三本のラインを設け、そして、外側のライン（２）を赤色で示す、中側のライン（３）を黄色で示す、さらに、内側のライン（４）を青色で示したものである。
本発明は、以上のような構成よりなる、確認用目印マークである。
【発明を実施するための最良の形態】
【０００５】以下、本発明の実施の形態について説明する。
（イ）  車の左右のドアミラーの位置を白線に合わせて、停止させ、白線の延長線を運転席から見て、交わる位置をボンネットと車内のわかりやすい位置左右に目印マーク本体を、ボンネットには（大）の目印マーク車内には（小）の目印マークを貼り付けて目印にする。
（ロ）  車の左右のボデーの位置を白線に合わせて、停止させ、白線の延長線を運転席から見て、交わる位置をボンネットと車内のわかりやすい位置左右に目印マーク本体を、ボンネットには（大）の目印マーク車内には（小）の目印マークを貼り付けて目印にする。
（ハ）  フロントバンパーの位置を白線に合わせて、停止させ、白線の延長線を運転席から見て、フロントドアの交わる位置左右に（小）の目印マークを貼り付けて目印にする。
（ニ）  フロントタイヤの位置を白線に合わせて、停止させ、白線の延長線を運転席から見て、フロントドアの交わる位置左右に（小）の目印マークを貼り付けて目印にする。
（ホ）  リヤーバンパーの位置を白線に合わせて、停止させ、白線の延長線を運転席から後方を見ながら、交わる位置を車内の見やすい位置左右に（小）の目印マークを貼り付けて目印にする。
（ヘ）  リヤータイヤの位置を白線に合わせて、停止させ、白線の延長線を運転席から後方を見ながら、交わる位置を車内の見やすい位置左右に（小）の目印マークを貼り付けて目印にする。
本発明は、以上のようなやり方で、目印マーク本体を貼り付けて、車の前後左右の間隔が素早く確認ができる。
【発明の効果】
【０００６】本発明を、使用することによって、車の走行及び停止している時、車の位置が正確に確認ができるので、スムーズに運転ができ、事故の原因を未然に防ぐことができる。
【図面の簡単な説明】
【図１】本発明の斜視図である。
【図２】本発明の使用状態を示す側面図である。
【符号の説明】
１  左のボデーの位置
２  右のボデーの位置
３  フロントバンパーの位置
４  フロントタイヤの位置
５  フロントバンパーの位置の白線
６  フロントタイヤの位置の白線
７  リヤータイヤの位置の白線
８  リヤーバンパーの位置の白線
【図１】
2005059829.tif 000003
【図２】
2005059829.tif 000004